(57)【要約】【課題】本発明の課題は、電池から水素が発生した場合に爆発を防止できる安全な電子機器を提供することである。【解決手段】少なくともフラッシュ装置２３、ＬＣＤバックライト装置２５、モータ装置２９、スイッチ装置２１及びメモリカード装置２７の何れか一つと、これらの装置の駆動源となる電池２とを備えた電子機器１において、電子機器１は触媒３を備え、電池２から放出される水素を触媒反応により酸化させて水と熱に変換するようにした。【選択図】  図１
2004279607.tif 000002
【特許請求の範囲】
【請求項１】
少なくともフラッシュ装置、ＬＣＤバックライト装置、モータ装置、スイッチ装置及びメモリカード装置の何れか一つと、これらの装置の駆動源となる電池とを備えた電子機器において、電子機器は触媒を備え、電池から放出される水素を触媒反応により酸化させて水と熱に変換することを特徴とする電子機器。
【請求項２】
触媒は電池の近傍位置に配置することを特徴とする請求項１記載の電子機器。
【請求項３】
触媒はケース内に収納されて、電子機器に装着されていることを特徴とする請求項１又は２記載の電子機器。
【請求項４】
電子機器は水吸収装置を備え、水吸収装置は水素が酸化する際に発生する水を吸収することを特徴とする請求項１乃至３の何れかに記載の電子機器。
【請求項５】
電子機器は排水装置を備え、排水装置は水素が酸化する際に発生する水を電子機器の外部に導くことを特徴とする請求項１乃至４の何れかに記載の電子機器。
【請求項６】
電子機器は発生した水の有無を検出する水検知手段を備え、水検知手段が水を検知すると検知信号に応答して水吸収装置が駆動して触媒反応により発生した水の吸収を開始することを特徴とする請求項４に記載の電子機器。
【請求項７】
電子機器は、発生した水の有無を検出する水検知手段を備え、水検知手段が水を検知すると、検知信号に応答して排水装置が駆動して触媒反応により発生した水を機器外に排水することを特徴とする請求項５に記載の電子機器。
【請求項８】
電子機器は、水検知手段が水を検知すると検知信号に応答して電子機器の駆動電源が停止することを特徴とする請求項６又は７に記載の電子機器。
【請求項９】
電子機器は、水検知手段が水を検知すると検知信号に応答して異常の警告を発することを特徴とする請求項６又は７に記載の電子機器。
【請求項１０】
電子機器は排熱装置を備え、排熱装置は水素が酸化する際に発生する熱を電子機器の外部に導くことを特徴とする請求項１乃至９の何れかに記載の電子機器。
【請求項１１】
電子機器は機器内の温度を検知する温度検知手段を備え、温度検知手段が所定温度の熱を検知すると、検知信号に応答して排熱装置が放熱を開始することを特徴とする請求項１０に記載の電子機器。
【請求項１２】
電子機器は温度検知手段が所定温度の熱を検知すると、検知信号に応答して電子機器の駆動電源が停止することを特徴とする請求項１１に記載の電子機器。
【請求項１３】
電子機器は温度検知手段が所定温度の熱を検出すると、検知信号に応答して異常の警告を発することを特徴とする請求項１１に記載の電子機器。
【発明の詳細な説明】
【０００１】
【発明の属する技術分野】
本発明は、電子機器に関する。
【０００２】
【従来の技術】
従来、デジタルカメラ等の電子機器は、フラッシュやＬＣＤ用バックライト等を備えており、これら各装置の駆動源となる電池を備えている。複数のニッケル水素電池を直列に使用する電子機器において、充電電圧が異なる電池を直列に使用する場合、特に複数の電池のうち１本だけが充電電圧０（Ｖ）とした時、充電電圧０（Ｖ）の電池に逆電圧がかかり水素が放出される。これは複数の電池を使用する電子機器特有のものといえる。
【０００３】
一方、蓄電池の電槽蓋に触媒を取り付け、蓄電池から発生した水素を触媒反応により酸化させて水と熱にする技術が開示されている（特許文献１）。
【０００４】
特許文献１に記載の従来技術は、蓄電池の周辺に高圧を発生させる装置や電気的接点等の火種は存在せず、たとえ水素が周辺に漏れたとしても反応して爆発するなどの問題は起こらなかった。
【０００５】
【特許文献１】
実開平７―２２４６５号公報
【０００６】
【発明が解決しようとする課題】
しかし、電子機器にはフラッシュ等の火種になる装置が多く存在し、電池から水素が発生すれば、たちまち引火してしまうおそれがある。特に、防水カメラのような防水構造や耐衝撃構造、耐熱耐寒構造等を施した密閉構造の電子機器では、電池から水素が発生したとき、水素の逃げ場がなく、装置内に充満して水素濃度が高まり火種に引火してより大きな爆発につながるおそれがあった。
【０００７】
本発明では、電池から水素が発生した場合に爆発を防止できる安全な電子機器を提供することを目的とする。
【０００８】
【課題を解決するための手段】
請求項１に記載の発明は、少なくともフラッシュ装置、ＬＣＤバックライト装置、モータ装置、スイッチ装置及びメモリカード装置の何れか一つと、これらの装置の駆動源となる電池とを備えた電子機器において、電子機器は触媒を備え、電池から放出される水素を触媒反応により酸化させて水と熱に変換することを特徴とする。
【０００９】
この請求項１に記載の発明では、電子機器内の電池から水素が発生した場合、機密性の高い電子機器においては水素の逃げ場がなく、機器内の水素の濃度が高まる。本発明では、電子機器内には触媒を設けたので、電池から水素が発生した場合でも触媒反応により酸化して水と熱とに変換される。このように、電子機器内の電池から水素が発生したとしても、水と熱とに変換されるので、機器内の水素の濃度が高まることが防止でき、フラッシュ装置などが着火元となって電子機器が爆発することを防止できる。また、電子機器内に触媒を配置するだけなので、省スペース、低コストの防爆装置が望める。
【００１０】
請求項２に記載の発明は、請求項１記載の発明において、触媒は電池の近傍位置に配置することを特徴とする。
【００１１】
請求項２に記載の発明は、請求項１に記載の発明と同様の作用効果を奏するとともに、触媒を電池の近傍位置に設けることで、電池から発生する水素をより効果的に反応させることができる。
【００１２】
請求項３に記載の発明は、請求項１又は２に記載の発明において、触媒はケース内に収納されて、電子機器に装着されていることを特徴とする。
【００１３】
請求項３に記載の発明は、請求項１又は２に記載に発明と同様の作用効果を奏するとともに、触媒を収納部内に収納することで、有機溶媒である接着剤や接着性のあるシリコーン等で触媒を直接、貼り付ける必要がなく、有機溶媒と触媒とが化学反応を起こし、有機溶媒が揮発して発火することを防止できる。
【００１４】
請求項４に記載の発明は、請求項１乃至３の何れかに記載の発明において、電子機器は水吸収装置を備え、水吸収装置は水素が酸化する際に発生する水を吸収することを特徴とする。
【００１５】
この請求項４に記載の発明では、請求項１乃至３の発明と同様の作用効果を奏するとともに、吸水装置によって水素が酸化する際に発生する水が吸水されるので、電子機器内の水が部品に接触してショートが起きることを防止できる。
【００１６】
請求項５に記載の発明は、請求項１乃至４の何れかに記載の発明において、電子機器は排水装置を備え、排水装置は水素が酸化する際に発生する水を電子機器の外部に導くことを特徴とする。
【００１７】
この請求項５に記載の発明では、請求項１乃至４の何れかに記載の発明と同様の作用効果を奏するとともに、排水装置によって水素が酸化する際に発生する水を機器外に排水することで、電子機器内の水が部品に接触してショートが起きることをより確実に防止できる。
【００１８】
請求項６に記載の発明は、請求項４に記載の発明において、電子機器は発生した水の有無を検出する水検知手段を備え、水検知手段が水を検知すると検知信号に応答して水吸収装置が駆動して触媒反応により発生した水の吸収を開始することを特徴とする。
【００１９】
この請求項６に記載の発明では、請求項４に記載の発明と同様の効果を奏するとともに、水検知手段により機器内の水を検出したときだけ、水吸収装置が駆動するので、吸収装置の寿命を延ばすことができる。
【００２０】
請求項７に記載の発明は、請求項５に記載の発明において、電子機器は、発生した水の有無を検出する水検知手段を備え、水検知手段が水を検知すると、検知信号に応答して排水装置が駆動して触媒反応により発生した水を機器外に排水することを特徴とする。
【００２１】
この請求項７に記載の発明では、請求項５に記載の発明と同様の作用効果を奏するとともに、水を検知したときだけ排水装置を駆動するためのモータやポンプを作動させるので、消費電力を抑えることができる。
【００２２】
請求項８に記載の発明は、請求項６又は７に記載の発明において、電子機器は、水検知手段が水を検知すると検知信号に応答して電子機器の駆動電源が停止することを特徴とする。
【００２３】
この請求項８に記載の発明では、請求項６又は７に記載の発明と同様の作用効果を奏するとともに、水を検知すると電子機器の駆動電源が停止するので、水が機器内に溜まってショートの発生や機能劣化を未然に防ぐことができる。
【００２４】
請求項９に記載の発明は、請求項６又は７に記載の発明において、電子機器は、水検知手段が水を検知すると検知信号に応答して異常の警告を発することを特徴とする。
【００２５】
この請求項９に記載の発明では、請求項６又は７に記載の発明と同様の作用効果を奏するとともに、水を検知すると異常を知らせることで、電子機器の使用を停止して、機器内を点検したり電池の交換したりなどの適切な処置を施すことで、電子機器の機能の劣化や故障を防ぐことができる。
【００２６】
請求項１０に記載の発明は、請求項１乃至９の何れかに記載の発明において、電子機器は排熱装置を備え、排熱装置は水素が酸化する際に発生する熱を電子機器の外部に導くことを特徴とする。
【００２７】
この請求項１０に記載の発明では、請求項１乃至９の何れかに記載の発明と同様の作用効果を奏するとともに、水素が酸化される際に発生する熱を電子機器の外部に放出することで、熱による電子機器の性能や機能の劣化を防ぐことができる。さらに、機器内が高温になることによる発火を防止することができる。
【００２８】
請求項１１に記載の発明は、請求項１０に記載の発明において、電子機器は機器内の温度を検知する温度検知手段を備え、温度検知手段が所定温度の熱を検知すると、検知信号に応答して排熱装置が放熱を開始することを特徴とする。
【００２９】
この請求項１１に記載の発明では、請求項１０に記載の発明と同様の作用効果を奏するとともに、温度検知手段により機器内の温度が所定温度になると放熱が開始されるので、駆動のためのモータの消費電力を抑えることができる。
【００３０】
請求項１２に記載の発明は、請求項１１に記載の発明において、電子機器は温度検知手段が所定温度の熱を検知すると、検知信号に応答して電子機器の駆動電源が停止することを特徴とする。
【００３１】
この請求項１２に記載の発明では、請求項１１に記載の発明と同様の作用効果を奏するとともに、温度検知手段により機器内の温度が所定温度になると、電子機器の電源をＯＦＦするので、熱による機能劣化を未然に防ぐことができる。
【００３２】
請求項１３に記載の発明は、請求項１１に記載の発明において、電子機器は温度検知手段が所定温度の熱を検出すると、検知信号に応答して異常の警告を発することを特徴とする。
【００３３】
この請求項１３に記載の発明では、請求項１１に記載の発明と同様の作用効果を奏するとともに、所定温度の熱を検知すると異常を知らせることで、電子機器の使用を停止して、機器内を点検したり電池の交換したりなどの適切な処置を施すことで、電子機器の機能の劣化や故障を防ぐことができる。
【００３４】
【発明の実施の形態】
図１は、本発明の実施形態に係る電子機器の一例であるデジタルカメラを示すブロック図、図２は、本発明の実施形態に係る電子機器の一例であるデジタルカメラを示す斜視図であり、（ａ）は触媒を収納する収納部の拡大斜視図である。本実施の形態におけるデジタルカメラ１は、カメラ全体を制御するＣＰＵ装置３１と、画像を撮影する光学系、ＣＣＤ、ＣＣＤ駆動部およびＡ／Ｄ変換機等を備えた画像取り込み装置３３と、画像取り込み装置３３により撮影された画像を表示する表示装置３５、撮影された画像を記録する画像記録装置３７等を備えている。
【００３５】
また、デジタルカメラ１には、電源のオン・オフ等を操作するスイッチ装置２１、フラッシュ光を発するフラッシュ装置２３、表示装置である液晶パネルの背面に付けるＬＣＤバックライト装置２５、撮影された画像をメモリカードに記録するメモリカード装着２７、各部分を駆動させるモータ装置２９等を備えており、電池２から電力供給を受けて作動するようになっている。
【００３６】
デジタルカメラ１内には、電池２から放出される水素を酸化させて水と熱に変換するため、触媒３を設けている。触媒３として例えば、Ｐｄ（パラジウム）、Ｐｔ（白金）、Ｐｈ（ロジウム）、Ｒｕ（ルテニウム）、Ｉｒ（イリジウム）等の金属触媒を用いている。
【００３７】
触媒３は、デジタルカメラ１内に両面テープ、接着剤又はシリコーンなどで直接貼る方法ではなく、被覆部材（ケース）４に収納してカメラ１上部の内面壁に取り付けている。図２（ａ）に示すように、複数の凹部を形成した被覆部材４に形状をペレット状又は顆粒状にした触媒３を収納し、その上を両面テープ５で覆っている。そして、両面テープ５の反対側の面をカメラ１の内面壁に貼り付けている。このように、触媒３を被覆部材４で覆うのは、触媒３を接着剤等で直接取り付けると、発生する水によって両面テープや接着剤やシリコーンなどを劣化させ、いずれは取付けが外れてしまい、触媒３の効果が薄れるばかりか、有機溶媒の近傍に留まって発火するおそれがあるからである。また、被覆部材４には開口部を設けて被覆部材４と触媒３との間の接触面を減らすことが好ましい。このように、被覆部材４と触媒３との接触面を減らすことで、発生する水素が触媒３に触れる面積が増え、触媒３の反応効果が高くなる。
【００３８】
次に触媒３を配置する位置について説明する。本実施の形態では、電池２から発生する水素を効果的に取り込むために、触媒３は電池２の近傍位置に設けるようにしている。しかし、電池２から液漏れが発生した場合には、液は電池周辺、特に電池ボックス６、若しくはデジタルカメラ１の底面などに流れ出すことが予想される。したがって、触媒３は液が流れてくる場所を避けて配置する。さらに、触媒３を配置する位置によっては、水素が酸化した際に発生する水（水蒸気）が、デジタルカメラ１内の水に弱い部品、特に電池２、電子部品、センサ部品、レンズ、モータ駆動部分に触れてしまう可能性があるので、このような位置を避け、触媒３を配置する。
【００３９】
また、触媒３は有機溶媒から所定の間隔だけ離れた位置に設けることで、有機溶媒が揮発して発火することを防止できる。特に、接着剤や接着性のあるシリコーンは揮発性が高いので、触媒３の近傍位置にあると発火の可能性があるが、所定の間隔だけ離れた位置に触媒３を設けることで、このような危険性を回避することができる。
【００４０】
次に触媒反応によってデジタルカメラ１内に発生した水の処理について説明する。デジタルカメラ１の底面には吸水性や保水力にすぐれた合成高分子、吸水性ポリマーや高分子吸収体を用いた水吸収装置５を備えている。かかる装置は布や綿や紙などを用いたものでもよく、さらにはモータ駆動のファンやプロペラやポンプなどを用いても良い。尚、水吸収装置５は水が発生する箇所、例えば、触媒３の近くに配置することが望ましい。
【００４１】
また、デジタルカメラ１内には水を機器外に排出する排水装置９を設けている。排水装置９としては、例えばデジタルカメラ１の壁に細管を配置して、かかる細管にモータ駆動のファンやプロペラを取り付けて水を機器外に導く装置などがある。このように、デジタルカメラ１内の水を機外に排出することで、電池２その他の電子部品がショートして、破壊や発煙発火するのを防止できる。また、レンズや駆動部分などが水に接触することで、機能や性能の劣化を招くことを防止できる。
【００４２】
次に、デジタルカメラ１内に発生した水の有無を検出する水検出装置（水検知手段）１３について説明する。水検出装置１３は水が発生し易い触媒３の近傍位置に設けている。水検出装置１３は、電極２枚を導通しないように並べて配置して、水が２枚の電極をショートさせた時に検知する電極型検出装置を用いている。尚、電極型検出装置は、単純に触媒３の近傍に配置し、水が発生したら即検出することも可能だが、水を受ける容器を配置し、容器内の任意の高さに電極型検出装置を配置することで、所定量の水が溜まった時点で検出することも可能である。
【００４３】
また、水検出装置１３が水を検知すると、検知信号に応じて水吸収装置７が動作を始める。吸水性ポリマーや高分子吸収体を用いた水吸収装置７では、水が検出されていない時は密閉された収納容器に収まっており、水が検出された時に収納容器が開いて水の吸収を開始する。尚、水吸収装置７であってモータ駆動のファンやプロペラやポンプなどを用いた装置では、水が検出されていない時は通電を停止又はセーブしており、水が検出されると通電を開始又はセーブを解除する。
【００４４】
さらに、水検出装置１３が水を検知すると、検知信号に応じて排水装置９のファンやプロペラが駆動し、装置内の水を排水装置９まで導くようになっている。また、ファンやプロペラなどの駆動は、水が検出されていないときは通電を停止又は、セーブされており、検出されると通電を開始、またはセーブを解除する。
【００４５】
このように、水を検知したときだけ水吸収装置７または排水装置９の動作が開始されるので、水吸収装置７として用いる吸水性ポリマーや高分子吸収体の耐用年数が延びるとともに、排水装置９では水吸収を駆動するためのモータの消費電力を抑えることができる。
【００４６】
また、水検出装置１３で所定量を超える水を検知すると、駆動電源が停止するように制御される。この場合、水検知装置１３で水を検知すると、検知信号がＣＰＵ装置３１に送られ、ＣＰＵ装置３１の制御信号によりスイッチ装置２１を自動的に停止する。
【００４７】
また、水検出装置１３は所定量を超える水を検知すると、表示装置３５に警告を表示したり、音声装置から警告音を発したりするようにしても良い。このように、水検出装置１３が水を検知すると異常を知らせることで、デジタルカメラ１の使用を停止して、機器内を点検したり電池２の交換したりなどの適切な処置を施すことで、デジタルカメラ１の機能の劣化や故障を防ぐことができる。
【００４８】
次に、デジタルカメラ１内に発生した熱を機外に放熱する排熱装置１５について説明する。電池２から発生した水素が触媒反応により酸化されると熱が発生するが、この熱がデジタルカメラ１内にこもって、熱に弱い部品、特に電池２、センサ又はレンズ等に熱が触れないように排熱装置１５を機器内に設けている。排熱装置１５は、熱が発生する位置の近傍に配置することが望ましく、例えばカメラ１内の底壁にモータで駆動するファンを設置し、カメラ１内の熱を機外に放熱するようにしても良い。尚、カメラ１の壁に熱伝導率の高い金属板を貼り付けて機器外に放熱できるようにしている。尚、排熱装置１５は金属板の他、シリコーンであっても良い。
【００４９】
このように、水素が酸化される際に発生する熱をデジタルカメラ１の外部に放出することで、熱によるデジタルカメラ１の性能や機能の劣化を防ぐことができる。さらに、機器内が高温になることによる発火を防止することができる。
【００５０】
また、デジタルカメラ１内の触媒３の近傍位置には機器内の温度を検知する熱検出装置（温度検知手段）１７を設けている。熱検出装置１７はサーミスタ等のセンサや熱電対やバイメタルなどを使用する。
【００５１】
センサによって所定温度以上を検出すると、検知信号がＣＰＵ装置３１に送られ、モータで駆動するファンを用いた排熱装置１５によって放熱が開始される。排熱装置１５は、熱が所定温度に到達していないときは、通電を停止又はセーブされており、検出されると通電を開始、またはセーブを解除する。このように、所定温度の熱を感知したときだけ排熱装置１５の動作が開始されるので、駆動モータの消費電力を抑えることができる。
【００５２】
尚、熱検出装置１７は、触媒３の近傍に配置することが望ましいが、デジタルカメラ１内から機外へと通ずるホースや、放熱用シリコーンや金属の取付け位置などに設けてもよい。
【００５３】
また、熱検出装置１７は熱を感知又は所定温度を超える熱を感知すると、デジタルカメラ１の駆動電源を停止するようにしても良い。さらに、熱を感知すると、表示装置３５に警告を表示したり、音声装置から警告音を発したりするようにしても良い。このように、熱検出装置１７が熱を感知すると異常を知らせることで、デジタルカメラ１の使用を停止して、機器内を点検したり電池２の交換したりなどの適切な処置を施すことで、デジタルカメラ１の機能の劣化や故障を防ぐことができる。
【００５４】
本発明は、上述のような実施例に限定されず、その要旨を逸脱しない範囲内において種々の変形が可能である。例えば、触媒３はデジタルカメラ１の側面に設けたがこれに限定されず、電池２の近傍位置であって、発火元となる部品等から離れた位置にあれば良く、例えばカメラ１内の底面に設けても良い。
【００５５】
【発明の効果】
請求項１に記載の発明では、電子機器内の電池から水素が発生したとしても、水と熱とに変換されるので、機器内の水素の濃度が高まることが防止でき、電子機器の爆発を防止できる。
【００５６】
請求項２に記載の発明では、請求項１に記載の発明と同様の効果を奏するとともに、触媒を電池の近傍位置に設けることで、電池から発生する水素をより効果的に反応させることができる。
【００５７】
請求項３に記載の発明では、請求項１又は２に記載に発明と同様の効果を奏するとともに、触媒を収納部内に収納することで、有機溶媒である接着剤や接着性のあるシリコーン等で触媒を直接、貼り付ける必要がなく、有機溶媒と触媒とが化学反応を起こし、有機溶媒が揮発して発火することを防止できる。
【００５８】
請求項４に記載の発明では、請求項１乃至３の何れかに記載の発明と同様の効果を奏するとともに、吸水装置によって水素が酸化する際に発生する水が吸水されるので、電子機器内の水が部品に接触してショートが起きることを防止できる。
【００５９】
請求項５に記載の発明では、請求項１乃至４の何れかに記載の発明と同様の効果を奏するとともに、排水装置によって水素が酸化する際に発生する水を機器外に排水することで、電子機器内の水が部品に接触してショートが起きることを確実に防止できる。
【００６０】
請求項６に記載の発明では、請求項４に記載の発明と同様の効果を奏するとともに、水検知手段により機器内の水を検出したときだけ、水吸収装置が駆動するので、吸収装置の寿命を延ばすことができる。
【００６１】
請求項７に記載の発明では、請求項５に記載の発明と同様の効果を奏するとともに、水を検知したときだけ排水装置を駆動するためのモータやポンプを作動させるので、消費電力を抑えることができる。
【００６２】
請求項８に記載の発明では、請求項６又は７に記載の発明と同様の効果を奏するとともに、水を検知すると電子機器の駆動電源を停止するので、水が機器内に溜まって漏電や機能劣化を未然に防ぐことができる。
【００６３】
請求項９に記載の発明では、請求項６又は７に記載の発明と同様の効果を奏するとともに、水を検知すると異常を知らせることで、電子機器の使用を停止して、機器内を点検したり電池の交換したりなどの適切な処置を施すことで、電子機器の機能の劣化や故障を防ぐことができる。
【００６４】
請求項１０に記載の発明では、請求項１乃至９の何れかに記載の発明と同様の効果を奏するとともに、水素が酸化される際に発生する熱を電子機器の外部に放出することで、熱による電子機器の性能や機能の劣化を防ぐことができる。さらに、機器内が高温になることによる発火を防止することができる。
【００６５】
請求項１１に記載の発明では、請求項１０に記載の発明と同様の効果を奏するとともに、温度検知手段により機器内の温度が所定温度になると放熱が開始されるので、駆動のためのモータの消費電力を抑えることができる。
【００６６】
請求項１２に記載の発明では、請求項１１に記載の発明と同様の効果を奏するとともに、温度検知手段により機器内の温度が所定温度になると、電子機器の駆動電源を停止するので、熱による機能劣化を未然に防ぐことができる。
【００６７】
請求項１３に記載の発明では、請求項１１に記載の発明と同様の効果を奏するとともに、所定温度の熱を検知すると異常を知らせることで、電子機器の使用を停止して、機器内を点検したり電池の交換したりなどの適切な処置を施すことで、電子機器の機能の劣化や故障を防ぐことができる。
【図面の簡単な説明】
【図１】本発明の実施形態に係る電子機器の一例であるデジタルカメラを示すブロック図である。
【図２】本発明の実施形態に係る電子機器の一例であるデジタルカメラを示す斜視図であり、（ａ）は触媒を収納する収納部の拡大斜視図である。
【符号の説明】
１          電子機器（デジタルカメラ）
２          電池
３          触媒
７          水吸収装置
９          排水装置
１３        水検知装置（水検知手段）
１５        排熱装置
１７        熱検出装置（温度検知手段）
２１        スイッチ装置
２３        フラッシュ装置
２５        ＬＣＤバックライト装置
２７        メモリカード装置
２９        モータ装置
【図１】
2004279607.tif 000003
【図２】
2004279607.tif 000004